(57)【要約】【課題】有効領域の周縁の輝度ムラを抑制すること。【解決手段】実施形態の面状照明装置は、光を出射する出射面と、前記出射面の反対側の面であって光を反射する反射面とを有する導光板と、前記出射面の有効領域を規定する遮光部材と、前記導光板の入光側面に対向して配置される光源と、を備え、前記遮光部材による遮光領域側の前記有効領域において、前記入光側面から離れるほど前記出射面側に近づく方向に傾斜する領域を含む第１反射面を備える。【選択図】図２
2018092768.tif 000002
【特許請求の範囲】
【請求項１】
光を出射する出射面と、前記出射面の反対側の面であって光を反射する反射面とを有する導光板と、
前記出射面の有効領域を規定する遮光部材と、
前記導光板の入光側面に対向して配置される光源と
を備え、
前記反射面は、
前記遮光部材による遮光領域側の前記有効領域において、前記入光側面から離れるほど前記出射面側に近づく方向に傾斜する領域を含む第１反射面を備える、面状照明装置。
【請求項２】
前記第１反射面は、
前記出射面側へ向かって凸状又は凹状に傾斜する、
請求項１に記載の面状照明装置。
【請求項３】
前記反射面は、
前記第１反射面における前記有効領域側の端部から前記出射面に沿う向きに伸びる第２反射面を備え、前記第１反射面と前記第２反射面との境界部がＲ形状である、
請求項１又は２に記載の面状照明装置。
【請求項４】
前記反射面は、
前記第１反射面における前記遮光領域側の端部から前記出射面に沿う向きに伸びる第３反射面を備え、
前記第３反射面は、
前記出射面側とは反対側から連結部材によって前記光源に連結される、
請求項１〜３のいずれか１つに記載の面状照明装置。
【請求項５】
前記第１反射面と前記第３反射面との境界部がＲ形状である、
請求項４に記載の面状照明装置。
【請求項６】
前記導光板は
前記出射面に光路変更パターンが形成されている、
請求項１〜５のいずれか１つに記載の面状照明装置。
【請求項７】
前記導光板は、
前記第３反射面に光路変更パターンが形成されている、
請求項４〜６のいずれか１つに記載の面状照明装置。
【請求項８】
前記導光板は、
前記第３反射面が前記有効領域まで伸びる、
請求項４〜７のいずれか１つに記載の面状照明装置。
【請求項９】
前記光源と前記導光板とを収納する収納容器を備え、
前記収納容器の底面は、前記第１反射面と対向する部位が前記出射面側へ傾斜する、
請求項１〜８のいずれか１つに記載の面状照明装置。
【請求項１０】
前記光源と前記導光板とを収納し、前記出射面に沿う向きの底面を有する収納容器と、
前記収納容器の前記底面に配置され、ユーザのタッチ操作による静電容量の変化を検知するタッチセンサと、
前記タッチセンサにおける前記出射面側の面に配置され、前記導光板と前記タッチセンサとの接触を防止する緩衝部材と
を備え、
前記緩衝部材と前記導光板との距離は、前記遮光領域側から前記有効領域側へ向かって増加する、
請求項１〜８のいずれか１つに記載の面状照明装置。
【発明の詳細な説明】
【技術分野】
【０００１】
本発明は、面状照明装置に関する。
【背景技術】
【０００２】
従来、ＬＥＤ（Light  Emitting  Diode）が導光板の一方の端面である入光側面に対向するように配置され、導光板の裏面である反射面側の入光側面近傍に、薄型化を図るための楔部を備えた面状照明装置が知られている。また、かかる面状照明装置にあっては、ＬＥＤと導光板の楔部とを含む領域を導光板の表面である出射面側から覆う遮光部材によって外部へ光を出射する有効領域が規定されている。
【先行技術文献】
【特許文献】
【０００３】
【特許文献１】特開２００５−１０８８１７号公報
【特許文献２】特開２０１４−３２９５３号公報
【発明の概要】
【発明が解決しようとする課題】
【０００４】
しかしながら、上記した従来技術に係る面状照明装置では、導光板における入光側面近傍に楔部を設けたことで、有効領域の周縁において輝度ムラが生じるおそれがあった。
【０００５】
本発明は、上記に鑑みてなされたものであって、有効領域の周縁の輝度ムラを抑制することができる面状照明装置を提供することを目的とする。
【課題を解決するための手段】
【０００６】
上述した課題を解決し、目的を達成するために、本発明の一態様に係る面状照明装置は、光を出射する出射面と、前記出射面の反対側の面であって光を反射する反射面とを有する導光板と、前記出射面の有効領域を規定する遮光部材と、前記導光板の入光側面に対向して配置される光源と、を備え、前記反射面は、前記遮光部材による遮光領域側の前記有効領域において、前記入光側面から離れるほど前記出射面側に近づく方向に傾斜する領域を含む第１反射面を備える。
【発明の効果】
【０００７】
本発明の一態様によれば、有効領域の周縁の輝度ムラを抑制することができる。
【図面の簡単な説明】
【０００８】
【図１】図１は、実施形態に係る面状照明装置の外観の一例を示す平面図である。
【図２】図２は、図１のＶ−Ｖ線断面模式図である。
【図３Ａ】図３Ａは、図２のＡ部分を拡大した図である。
【図３Ｂ】図３Ｂは、図２のＢ部分を拡大した図である。
【図４】図４は、導光板内の光経路を説明する図である。
【図５Ａ】図５Ａは、実施形態の変形例１に係る導光板の断面模式図である。
【図５Ｂ】図５Ｂは、実施形態の変形例２に係る導光板の断面模式図である。
【図６】図６は、実施形態の変形例３に係る面状照明装置の断面模式図である。
【発明を実施するための形態】
【０００９】
以下、実施形態に係る面状照明装置について図面を参照して説明する。なお、以下に示す実施形態によりこの発明が限定されるものではない。また、図面における各要素の寸法の関係、各要素の比率等は、実際と異なる場合がある。また、図面相互間においても、互いの寸法の関係や比率が異なる部分が含まれている場合がある。
【００１０】
まず、図１および図２を用いて、実施形態に係る面状照明装置１０の構成例について説明する。図１は、実施形態に係る面状照明装置の外観の一例を示す平面図である。図２は、図１のＶ−Ｖ線断面模式図である。
【００１１】
なお、図１および図２には、説明を分かりやすくするために、光が出射する側の面を正方向とするＺ軸を含む３次元の直交座標系を図示している。かかる直交座標系は、以下の説明で用いる他の図面においても示す場合がある。
【００１２】
図１に示すように、実施形態に係る面状照明装置１０は、遮光シート３０ａ，３０ｂで覆われていない領域である有効領域２０から光を出射する。すなわち、面状照明装置１０は、遮光シート３０ａ，３０ｂによって導光板４０の出射面４０ａ（図２参照）の有効領域２０が規定されている。
【００１３】
面状照明装置１０は、例えば、液晶表示装置のバックライトとして用いられる。そして、液晶表示装置は、例えば、スマートフォンやタブレット等の情報携帯端末において用いられる。
【００１４】
また、図１に示すように、Ｘ軸負方向側の遮光シート３０ａは、Ｘ軸正方向側の遮光シート３０ｂよりもＸ軸方向におけるシートの幅が広くなっている。これは、遮光シート３０ａがＬＥＤ１１やＦＰＣ（Flexible  Printed  Circuit）１２等（図２参照）を覆うためである。
【００１５】
なお、図１では、遮光シート３１（図２参照）の図示を省略している。また、遮光シート３０ａ，３０ｂ，３１は、遮光部材の一例である。
【００１６】
図２に示すように、面状照明装置１０は、ＬＥＤ１１と、ＦＰＣ１２と、固定部材１３と、連結部材１４と、拡散シート１５と、プリズムシート１６と、反射シート１７と、導光板４０と、収納容器（フレーム）５０とを備える。
【００１７】
収納容器５０は、ＬＥＤ１１と、ＦＰＣ１２と、固定部材１３と、連結部材１４と、拡散シート１５と、プリズムシート１６と、反射シート１７と、導光板４０とを収納する。かかる収納容器５０は、剛性が大きい、例えば、ステンレス製の容器であり、側壁部５０ａと底部５０ｂとを備える。
【００１８】
ＬＥＤ（Light  Emitting  Diode）１１は、点状の光源であり、例えば、青色ＬＥＤと黄色蛍光体とを含む疑似白色ＬＥＤである。かかるＬＥＤ１１は、全体として略直方体状に形成され、Ｘ軸方向において対向する一対の主面１１ａ，１１ｂを有し、一方の主面（発光面）１１ａがＸ軸正方向側にある導光板４０の入光側面４０ｃに当接される。
【００１９】
本実施形態では、ＬＥＤ１１が導光板４０の入光側面４０ｃに沿ってＹ軸方向に均等な間隔で複数配置されるものとする。なお、複数のＬＥＤ１１は、必ずしも均一な間隔で配置される必要はなく、不均一な間隔で配置されてもよい。かかる複数のＬＥＤ１１は、Ｘ軸正方向側にある発光面１１ａから導光板４０の入光側面４０ｃへ向けて光を発する。また、ＬＥＤ１１は、光源の一例である。
【００２０】
ＦＰＣ１２は、Ｘ軸方向において対向する一対の主面１２ａ，１２ｂを有し、一方の主面１２ａがＬＥＤ１１の発光面１１ａとは反対側の他方の主面１１ｂに当接される。かかるＦＰＣ１２には、ＬＥＤ１１への給電等を行うための回路が設けられる。
【００２１】
固定部材１３は、収納容器５０における側壁部５０ａの内側面５０ａ−１にＦＰＣ１２を固定する。かかる固定部材１３は、例えば、両面テープであり、一方の面がＦＰＣ１２の他方の主面１２ｂに貼り付けられ、他方の面が内側面５０ａ−１に貼り付けられる。
【００２２】
導光板４０は、ＬＥＤ１１からの光を導いて面状に発光させるものであり、例えば、ポリカーボネート樹脂やアクリル樹脂等の透光性材料を含む。かかる導光板４０は、Ｚ軸方向において対向する一対の主面４０ａ，４０ｂと、ＬＥＤ１１を配置する側の側面である入光側面（入光面）４０ｃと、入光側面４０ｃと対向する対向側面（図示せず）とを備える。入光側面４０ｃには、ＬＥＤ１１が発した光が入射される。
【００２３】
また、２つの主面４０ａ，４０ｂのうちＺ軸正方向側にある一方の主面４０ａは、入光側面４０ｃから入射された光（ＬＥＤ１１が発した光）が出射される出射面（発光面）である。また、Ｚ軸負方向側にある他方の主面４０ｂは、導光板４０内に入射された光が反射される反射面である。
【００２４】
本実施形態では、一方の主面（出射面）４０ａには、例えば、複数のドットからなる光路変更パターンが形成されており、かかる光路変更パターンによって導光板４０内を進む光の進行方向が変更されて、一方の主面４０ａから光が出射される。なお、以下の説明では、「一方の主面４０ａ」を「出射面４０ａ」と記載し、「他方の主面４０ｂ」を「反射面４０ｂ」と記載する。また、なお、本実施形態における出射面４０ａは、後述する第１反射面４０ａ−１のような傾斜面が存在しない、全域にわたって平坦な面であるが、本発明はこれに限定されない。
【００２５】
拡散シート１５は、導光板４０の出射面４０ａを覆うように配置され、出射面４０ａから出射される光を拡散する。プリズムシート１６は、拡散シート１５に対して導光板４０とは反対側に配置され、拡散シート１５によって拡散された光の配光制御を行い、配光制御が行われた光を出射する。
【００２６】
遮光シート３０ａは、プリズムシート１６の入光側面４０ｃ側の一部、ＬＥＤ１１、ＦＰＣ１２、および固定部材１３を覆うように配置される。かかる遮光シート３０ａは、導光板４０の出射面４０ａのうち一部の領域から出射される光を遮ることにより、面状照明装置１０から光が出射される領域である有効領域２０を規定する。
【００２７】
また、遮光シート３０ａによって出射面４０ａから出射される光が遮られる領域（遮光領域）３２は、入光側面４０ｃからＸ軸正方向の所定の位置まで形成される。なお、図２においては、かかる遮光領域３２の長さをＭとして示している。また、遮光領域３２のＸ軸方向の幅は、有効領域２０のＸ軸方向の幅よりもかなり小さい。
【００２８】
また、遮光シート３０ａは、光を遮ることが可能な片面テープであり、Ｚ軸負方向側へ折れた部分が収納容器５０の側壁部５０ａの外側面に貼り付けられる。また、遮光シート３０ａの遮光領域３２に相当する部分が、プリズムシート１６の入光側面４０ｃ側の一部に貼り付けられる。
【００２９】
遮光シート３１は、光を遮ることが可能な両面テープである。かかる遮光シート３１のＺ軸方向において対向する一対の面のうち、Ｚ軸正方向側にある一方の面が、面状照明装置１０をバックライトとして用いる液晶表示装置に貼り付けられる。また、Ｚ軸負方向側にある他方の面が、プリズムシート１６の入光側面４０ｃ側の一部、ＬＥＤ１１、ＦＰＣ１２、および固定部材１３を覆う遮光シート３０ａに貼り付けられる。
【００３０】
ここで、従来の面状照明装置について説明する。従来の面状照明装置では、薄型化を図るために導光板の反射面側の入光側面近傍に楔部を設け、ＬＥＤおよび導光板の楔部等を含む領域を覆う遮光シートによって導光板の出射面における有効領域を規定していた。
【００３１】
しかし、従来の面状照明装置では、導光板の反射面側の入光側面近傍に楔部を設けたことで、入光側面から導光板内に入射した光の一部が楔部の急峻な傾斜面で反射することによって、有効領域の周縁において輝度ムラが生じていた。
【００３２】
そこで、図２に示すように、実施形態に係る面状照明装置１０では、導光板４０の反射面４０ｂが、遮光シート３０ａによる遮光領域側の有効領域２０において、入光側面４０ｃから離れるほど出射面４０ａ側に近づく方向に傾斜する領域を含む第１反射面４０ｂ−１を含むこととした。つまり、導光板４０の反射面４０ｂは、前方（有効領域２０側）の端部が前方（有効領域２０）に向かって伸び、かつ、入光側面４０ｃから離れるほど出射面４０ａ側に近づく方向に傾斜する第１反射面４０ｂ−１を備える。
【００３３】
これにより、実施形態に係る面状照明装置１０は、有効領域２０の周縁の輝度ムラを抑制することができる。
【００３４】
引き続き、図２を用いて、実施形態に係る面状照明装置１０が備える導光板４０の反射面４０ｂについて具体的に説明する。
【００３５】
図２に示すように、導光板４０の反射面４０ｂは、第１反射面４０ｂ−１と、第２反射面４０ｂ−２と、第３反射面４０ｂ−３とを備える。
【００３６】
第１反射面４０ｂ−１は、遮光シート３０ａによる遮光領域３２から有効領域２０にかけて出射面４０ａ側へ傾斜する。具体的には、第１反射面４０ｂ−１における遮光領域３２側の端部は遮光領域３２内の有効領域２０側近傍に位置し、第１反射面４０ｂ−１における有効領域２０側の端部は有効領域２０内の遮光領域３２側近傍に位置する。なお、図２において、第１反射面４０ｂ−１における遮光領域３２側の端部から第１反射面４０ｂ−１における有効領域２０側の端部までの長さをＬ１として示している。
【００３７】
かかる第１反射面４０ｂ−１は、遮光シート３０ａによる遮光領域３２から有効領域２０にかけて出射面４０ａ側へ傾斜することで、導光板４０からの漏れ光の発生が抑制されるとともに、導光板４０を薄く形成することができる。
【００３８】
第２反射面４０ｂ−２は、第１反射面４０ｂ−１における有効領域２０側の端部から出射面４０ａに沿う向きに伸びる。具体的には、第２反射面４０ｂ−２は、第１反射面４０ｂ−１における有効領域２０側の端部から出射面４０ａに対して平行に入光側面４０ｃと対向する対向側面まで伸びる。
【００３９】
かかる第２反射面４０ｂ−２は、第１反射面４０ｂ−１における有効領域２０側の端部から対向側面まで出射面４０ａに対して平行に伸びることで、対向側面まで導光板４０を薄く形成することができる。
【００４０】
第３反射面４０ｂ−３は、第１反射面４０ｂ−１における遮光領域３２側の端部から出射面４０ａに沿う向きに伸びる。具体的には、第３反射面４０ｂ−３は、第１反射面４０ｂ−１における遮光領域３２側の端部から出射面４０ａに対して平行に入光側面４０ｃまで伸びる。なお、図２において、第３反射面４０ｂ−３のＸ軸方向における長さをＬ２として示している。
【００４１】
かかる第３反射面４０ｂ−３は、第１反射面４０ｂ−１における遮光領域３２側の端部から入光側面４０ｃまで出射面４０ａに対して平行に伸びることで、連結部材１４が接着される面積を大きく確保することができる。
【００４２】
なお、第３反射面４０ｂ−３は、出射面４０ａに対して平行でなくてもよく、入光側面４０ｃから第１反射面４０ｂ−１における遮光領域３２側の端部にかけて出射面４０ａ側へ傾斜していてもよい。かかる場合、第３反射面４０ｂ−３の傾斜は、第１反射面４０ｂ−１の傾斜よりも穏やかである。
【００４３】
また、第３反射面４０ｂ−３は、有効領域２０にまで伸びるように設けてもよい。かかる場合、第１反射面４０ｂ−１は、有効領域２０内に収まるように設けられる。
【００４４】
また、上記の導光板４０では、出射面４０ａに光路変更パターン（第１の光路変更パターン）が形成されているが、反射面４０ｂにおける第３反射面４０ｂ−３に第２の光路変更パターンを形成するのが好ましい。その理由を以下に述べる。
【００４５】
まず、導光板４０の出射面４０ａのみに光路変更パターンを形成した場合には、以下の問題が生じるおそれがある。すなわち、入光側面４０ｃから導光板４０内に入射した光のうち、出射面４０ａの遮光領域３２に入射した光は、光路変更パターンに入射して光路が変更される。ところが、かかる光は、前方に進みながらも一旦、第１反射面４０ｂ−１で反射した後でないと、出射面４０ａの有効領域２０に入射しその位置から外部に出射することはない。このため、いわゆる狭額縁化の要請により遮光領域３２の長さＭが小さくなるほど、有効領域２０の遮光領域３２寄りの部分に、光が出射しない領域（暗部）が形成されることになる。
【００４６】
これに対して、第３反射面４０ｂ−３に第２の光路変更パターンを更に設けた場合には、入光側面４０ｃから第３反射面４０ｂ−３に直接入射した光が、第２の光路変更パターンによって光路を変更されて、有効領域２０の遮光領域３２寄りの部分から出射することになる。したがって、狭額縁化を促進した場合であっても、かかる部分における暗部の発生を抑制することができる。
【００４７】
また、導光板４０の反射面４０ｂにおいて、第３反射面４０ｂ−３に光路変更パターンを形成するだけでなく、必要に応じて、第１反射面４０ｂ−１および第２反射面４０ｂ−２にも光路変更パターンを形成してもよい。
【００４８】
また、たとえば、導光板４０の反射面４０ｂにおいて、第３反射面４０ｂ−３を有効領域２０まで伸ばし、第３反射面４０ｂ−３のみに第２の光路変更パターンを形成してもよい。かかる形態の導光板４０では、傾斜面である第１反射面４０ｂ−１にも第２の光路変更パターンを形成する場合と比べて、光の制御性が高くなり、安定して均一性に優れた照明光を得ることができる。
【００４９】
次に、図３Ａおよび図３Ｂを用いて、第３反射面４０ｂ−３と第１反射面４０ｂ−１との境界部および第１反射面４０ｂ−１と第２反射面４０ｂ−２との境界部について説明する。図３Ａは、図２のＡ部分を拡大した図であり、図３Ｂは、図２のＢ部分を拡大した図である。
【００５０】
図３Ａに示すように、本実施形態に係る導光板４０の反射面４０ｂは、第３反射面４０ｂ−３と第１反射面４０ｂ−１との境界部７０がＲ形状を有する。図３Ａに示すように、境界部７０は、平面である第３反射面４０ｂ−３と平面である第１反射面４０ｂ−１とをつなぐ部分である。
【００５１】
つまり、かかる境界部７０は、第３反射面４０ｂ−３からＺ軸正方向（図２参照）へ向かって滑らかに湾曲しながら第１反射面４０ｂ−１まで続く連続した面である。なお、θ１は、第３反射面４０ｂ−３に対する第１反射面４０ｂ−１の傾斜角度である。
【００５２】
また、図３Ｂに示すように、本実施形態に係る導光板４０の反射面４０ｂは、第１反射面４０ｂ−１と第２反射面４０ｂ−２との境界部７１がＲ形状を有する。図３Ｂに示すように、境界部７１は、平面である第１反射面４０ｂ−１と平面である第２反射面４０ｂ−２とをつなぐ部分である。
【００５３】
つまり、かかる境界部７１は、第１反射面４０ｂ−１からＸ軸正方向（図２参照）へ向かって滑らかに湾曲しながら第２反射面４０ｂ−２まで続く連続した面である。なお、θ２は、第２反射面４０ｂ−２に対する第１反射面４０ｂ−１の傾斜角度である。
【００５４】
ここで、傾斜角度θ１および傾斜角度θ２は、第１反射面４０ｂ−１における遮光領域３２側の端部から第１反射面４０ｂ−１における有効領域２０側の端部までの長さＬ１と第３反射面４０ｂ−３の長さＬ２とに基づいて決定される。なお、傾斜角度θ１と傾斜角度θ２とは錯角の関係にあり、θ１はθ２に等しい。なお、θ１およびθ２のいずれか一方を他方よりも大きくしてもよい。
【００５５】
図２に戻り、収納容器５０について説明する。収納容器５０の底部５０ｂは、底面５０ｃを備える。かかる底面５０ｃは、第１底面５０ｃ−１と、第２底面５０ｃ−２と、第３底面５０ｃ−３とを備える。
【００５６】
第１底面５０ｃ−１は、第１反射面４０ｂ−１に対応する部位である。かかる第１底面５０ｃ−１は、遮光シート３０ａによる遮光領域３２から有効領域２０にかけて出射面４０ａ側へ傾斜する。第２底面５０ｃ−２は、第２反射面４０ｂ−２に対応する部位である。かかる第２底面５０ｃ−２は、出射面４０ａに対して平行に伸びる。第３底面５０ｃ−３は、第３反射面４０ｂ−３、ＬＥＤ１１、ＦＰＣ１２、および固定部材１３に対応する部位である。かかる第３底面５０ｃ−３は出射面４０ａに対して平行に伸びる。
【００５７】
反射シート１７は、導光板４０の反射面４０ｂから漏れた光を反射して、再度、導光板４０に戻す。かかる反射シート１７は、第１反射面４０ｂ−１および第２反射面４０ｂ−２に沿って第１反射面４０ｂ−１および第２反射面４０ｂ−２に配置される。また、反射シート１７は、両面テープ１８により第２底面５０ｃ−２上に固定された状態で、導光板４０の反射面４０ｂと底面５０ｃとの間に配置される。
【００５８】
連結部材１４は、導光板４０の第３反射面４０ｂ−３及びＬＥＤ１１と収納容器５０の第３底面５０ｃ−３との間に配置され、導光板４０とＬＥＤ１１とを光学的かつ構造的に連結させる。具体的には、連結部材１４は、導光板４０の入光側面４０ｃとＬＥＤ１１の発光面１１ａとを連結させる。また、連結部材１４は、導光板４０の第３反射面４０ｂ−３とＬＥＤ１１のＺ軸負方向側の面（出射面４０ａとは反対側の面）とを連続的に覆うように配置される。かかる連結部材１４は、例えば、短冊状の片面テープであり、接着層（粘着剤）１４ａ及び基材１４ｂを含む。
【００５９】
基材１４ｂは、例えば、ＰＥＴ（Polyethylene  Terephthalate）であり、接着層１４ａは、例えば、シリコンやアクリルである。接着層１４ａは、導光板４０の第３反射面４０ｂ−３の第１反射面４０ｂ−１側近傍まで粘着するとともに、ＬＥＤ１１のＺ軸負方向側の面の他方の主面１１ｂ側近傍まで粘着する。
【００６０】
これにより、連結部材１４に、導光板４０の第３反射面４０ｂ−３と、ＬＥＤ１１のＺ軸負方向側の面とが取り付けられることとなる。この結果、連結部材１４は、導光板４０の入光側面４０ｃとＬＥＤ１１の発光面１１ａとを連結させる。
【００６１】
次に、図４を用いて、入光側面４０ｃから導光板４０内に入射された光の経路について説明する。図４は、導光板４０内の光経路を説明する図である。なお、図２に示す構成要素と同様の機能を有する構成要素については、図２に示す符号と同一の符号を付すことにより、その説明を省略する。
【００６２】
図４に示すように、入光側面４０ｃから導光板４０内に入射された光のうち第１反射面４０ｂ−１に向かう光８０は、実線矢印のような光路となる。具体的には、第１反射面４０ｂ−１に到達した光８０は、第１反射面４０ｂ−１が遮光シート３０ａによる遮光領域３２から有効領域２０にかけて出射面４０ａ側へ緩やかに傾斜しているため、かかる緩やかな傾斜により有効領域２０の中央に向かって反射する。
【００６３】
一方、従来の面状照明装置において、反射面側の入光側面近傍に楔部を備え、かかる楔部が遮光シートで覆われた導光板では、入光側面から導光板内に入射された光のうち楔部の傾斜面に向かう光は、楔部の傾斜面に達すると、急峻な傾斜により有効領域の周縁に向かって反射することとなる。
【００６４】
つまり、本実施形態では、入光側面４０ｃから導光板４０内に入射された光が第１反射面４０ｂ−１に当たった場合、第１反射面４０ｂ−１が遮光領域３２から有効領域２０にかけて出射面４０ａ側へ傾斜しているため、かかる光の反射方向が有効領域２０の周縁に向かうのではなく有効領域２０の中央に向かうことになる。
【００６５】
これにより、上述した実施形態に係る面状照明装置１０は、有効領域２０の周縁の輝度ムラを抑制することができる。また、上述した実施形態に係る面状照明装置１０は、導光板４０の反射面４０ｂが遮光シート３０ａによる遮光領域３２から有効領域２０にかけて出射面４０ａ側へ傾斜しているため、有効領域３２部分における導光板４０の厚さを薄くすることができる。
【００６６】
また、上述したように、実施形態に係る面状照明装置１０において、導光板４０は、第１反射面４０ｂ−１における有効領域２０の端部から出射面４０ａに沿う向きに伸びる第２反射面４０ｂ−２を備え、第１反射面４０ｂ−１と第２反射面４０ｂ−２との境界部７１がＲ形状を有する。
【００６７】
したがって、上述した実施形態に係る面状照明装置１０は、有効領域２０内にある第１反射面４０ｂ−１と第２反射面４０ｂ−２との境界部７１において光の乱反射が防がれ、有効領域２０内での光の乱反射を防止することができる。
【００６８】
また、上述したように、実施形態に係る面状照明装置１０において、導光板４０は、第１反射面４０ｂ−１における遮光領域３２側の端部から出射面４０ａに沿う向きに伸びる第３反射面４０ｂ−３を備え、第３反射面４０ｂ−３と第１反射面４０ｂ−１との境界部７０がＲ形状を有する。
【００６９】
したがって、上述した実施形態に係る面状照明装置１０は、遮光領域３２内にある第３反射面４０ｂ−３と第１反射面４０ｂ−１との境界部７０において光の乱反射が防がれ、遮光領域３２内での光の乱反射を防止することができる。
【００７０】
なお、上述した実施形態に係る面状照明装置１０は、第３反射面４０ｂ−３と第１反射面４０ｂ−１との境界部７０および第１反射面４０ｂ−１と第２反射面４０ｂ−２との境界部７１がＲ形状を有するが、この形態に限られない。他の形態としては、境界部７０および境界部７１がＲ形状を有していなくてもよい。
【００７１】
また、他の形態としては、境界部７０がＲ形状を有しておらず、境界部７１がＲ形状を有していてもよい。かかる形態では、少なくとも有効領域２０内での光の乱反射を防止することができる。
【００７２】
また、上述したように、実施形態に係る面状照明装置１０において、導光板４０の第３反射面４０ｂ−３は、出射面４０ａ側とは反対側から連結部材１４によってＬＥＤ１１に連結される。
【００７３】
これにより、実施形態に係る面状照明装置１０は、導光板４０の第３反射面４０ｂ−３によりＬＥＤ１１を連結する連結部材１４の接着面積を大きく確保することができ、導光板４０のＬＥＤ１１からの離脱を防止することができる。
【００７４】
また、上述したように、実施形態に係る面状照明装置１０において、収納容器５０の底面５０ｃは、第１反射面４０ｂ−１に対応する部位である第１底面５０ｃ−１が出射面４０ａ側へ傾斜する。
【００７５】
これにより、上述した実施形態に係る面状照明装置１０は、有効領域２０部分における装置の薄型化を図ることができる。
【００７６】
次に、図５Ａおよび図５Ｂを用いて、導光板４０の変形例について説明する。図５Ａは、実施形態の変形例１に係る導光板４０の断面模式図である。図５Ｂは、実施形態の変形例２に係る導光板４０の断面模式図である。なお、図２に示す構成要素と同様の機能を有する構成要素については、図２に示す符号と同一の符号を付すことにより、その説明を省略する。
【００７７】
図５Ａに示すように、第１変形例に係る導光板４０は、第１反射面４０ｂ−１が出射面４０ａ側へ向かって凸状に傾斜する。具体的には、第１反射面４０ｂ−１は、第１反射面４０ｂ−１における遮光領域３２側の端部から第１反射面４０ｂ−１における有効領域２０側の端部までにかけてＺ軸正方向に向かって穏やかに湾曲する。なお、図５Ａにおいて、平らな傾斜面を一点鎖線で示している。
【００７８】
また、図５Ｂに示すように、第２変形例に係る導光板４０は、第１反射面４０ｂ−１が出射面４０ａ側へ向かって凹状に傾斜する。具体的には、第１反射面４０ｂ−１は、第１反射面４０ｂ−１における遮光領域３２側の端部から第１反射面４０ｂ−１における有効領域２０側の端部までにかけてＺ軸負方向に向かって穏やかに湾曲する。なお、図５Ｂにおいて、平らな傾斜面を一点鎖線で示している。
【００７９】
上述したように、実施形態に係る面状照明装置１０は、第１反射面４０ｂ−１が出射面４０ａへ向かって凸状又は凹状に傾斜することで、第１反射面４０ｂ−１が平面でなくても、第１反射面４０ｂ−１が平面の場合と同様の効果を得ることができる。
【００８０】
次に、図６を用いて、実施形態の変形例３に係る面状照明装置１０ａについて説明する。図６は、実施形態の変形例３に係る面状照明装置１０ａの断面模式図である。なお、図２に示す構成要素と同様の機能を有する構成要素については、図２に示す符号と同一の符号を付すことにより、その説明を省略する。
【００８１】
図６に示すように、実施形態の変形例３に係る面状照明装置１０ａは、出射面４０ａに沿う向きの底面５０ｂ−１を有する収納容器５０と、連結部材１４に対応する箇所を除く底面５０ｂ−１に配置されてユーザのタッチ操作による静電容量の変化を検知するタッチセンサ９０とを備える。
【００８２】
また、かかる面状照明装置１０ａは、タッチセンサ９０における出射面４０ａ側の面に配置されて導光板４０とタッチセンサ９０との接触を防止するシムテープ（登録商標）９１を備える。かかるシムテープ９１は、第１反射面４０ｂ−１に対応するタッチセンサ９０の部位に配置される。なお、シムテープ９１は、緩衝部材の一例である。
【００８３】
また、かかる面状照明装置１０ａは、シムテープ９１と導光板４０との距離ｄが、遮光領域３２側から有効領域２０側へ向かって増加している。なお、シムテープ９１における遮光領域３２側の基端は、Ｚ軸正方向側の一方の面が反射シート１７に取り付けられている。
【００８４】
また、かかる面状照明装置１０ａは、有効領域２０の部位を出射面４０ａ側から押圧した際に、タッチセンサ９０に導光板４０の第１反射面４０ｂ−１が接触するおそれがあるため、第１反射面４０ｂ−１に対応するタッチセンサ９０の部位にシムテープ９１を配置している。
【００８５】
上述した実施形態の変形例３に係る面状照明装置１０ａは、第１反射面４０ｂ−１に対応するタッチセンサ９０の部位にシムテープ９１を配置すればよく、タッチセンサ９０の全面にシムテープ９１を配置する場合に比べて、シムテープ９１の材料のコストを削減することができる。
【００８６】
また、かかる面状照明装置１０ａにおいても、導光板４０は、遮光シート３０ａによる遮光領域３２から有効領域２０にかけて出射面４０ａ側へ傾斜する第１反射面４０ｂ−１を備えるため、有効領域２０の周縁の輝度ムラを抑制することができる。
【００８７】
なお、上記実施の形態により本発明が限定されるものではない。上述した各構成素を適宜組み合わせて構成したものも本発明に含まれる。また、さらなる効果や変形例は、当業者によって容易に導き出すことができる。よって、本発明のより広範な態様は、上記の実施の形態に限定されるものではなく、様々な変更が可能である。
【符号の説明】
【００８８】
１０、１０ａ  面状照明装置
１１  ＬＥＤ
１４  連結部材
２０  有効領域
４０  導光板
４０ａ  出射面
４０ｂ  反射面
４０ｂ−１  第１反射面
４０ｂ−２  第２反射面
４０ｂ−３  第３反射面
４０ｃ  入光側面
３０ａ、３０ｂ、３１  遮光シート
３２  遮光領域
５０  収納容器
５０ｃ  底面
５０ｃ−１  第１底面
５０ｃ−２  第２底面
５０ｃ−３  第３底面
７０、７１  境界部
９０  タッチセンサ
９１  シムテープ
【図１】
2018092768.tif 000003
【図２】
2018092768.tif 000004
【図３Ａ】
2018092768.tif 000005
【図３Ｂ】
2018092768.tif 000006
【図４】
2018092768.tif 000007
【図５Ａ】
2018092768.tif 000008
【図５Ｂ】
2018092768.tif 000009
【図６】
2018092768.tif 000010